(57)【要約】      （修正有）【課題】傾倒操作部材の中心部に設置された押圧操作部材の脱落を防止し、押圧操作部材を組み立てる際に、支持部材の破損を防止する。【解決手段】傾倒操作可能な傾倒操作部材２２と、傾倒操作部材２２の中心に設置された押圧操作部材２３と、支持部材２９と、支持部材２９に形成された軸部２９ｂに回転可能に嵌合する嵌合穴２１ａが形成された回転操作部材２１とを有する情報入力装置において、押圧操作部材２３を支持する押圧操作支持部材２７は、支持板３０に押圧操作支持部材２７を嵌め込んだのち回転させて固定するために、第一の係合部２７ａ−１は、第二の係合部２７ａ−２に対し、略対向する位置で、第二の係合部２７ａ−２よりも大きな形状を有し、支持板３０は、第一の係合部２７ａ−１よりも小さく、第二の係合部２７ａ−２よりも大きな開口部３０ａを備えている。【選択図】図５
2013251160.tif 000002
【特許請求の範囲】
【請求項１】
情報入力のために傾倒操作可能な傾倒操作部材（２２）と、前記傾倒操作部材（２２）の中心に設置された押圧操作部材（２３）と、前記傾倒操作部材（２２）を支持する支持部材（２９）と、この支持部材（２９）に形成された軸部（２９ｂ）に回転可能に嵌合する嵌合穴（２１ａ）が形成されて情報入力のために前記傾倒操作部材（２２）の周囲でエンドレスに回転操作可能な回転操作部材（２１）とを有する情報入力装置において、
前記押圧操作部材（２３）を押圧操作可能に支持する押圧操作支持部材（２７）と、前記押圧操作支持部材（２７）を保持する支持板（３０）とを備え、前記押圧操作支持部材（２７）は、支持板（３０）に前記押圧操作支持部材（２７）を嵌め込んだのち回転させて固定するための、２つの係合部（２７ａ）を備え、第一の係合部（２７ａ−１）は、第二の係合部（２７ａ−２）に対し、対向する位置に設置され、かつ前記第二の係合部（２７ａ−２）よりも大きな形状を有し、前記支持板（３０）は、前記第一の係合部（２７ａ−１）よりも小さく、かつ、前記第二の係合部（２７ａ−２）よりも大きな開口部（３０ａ）を備えたことを特徴とする情報入力装置。
【請求項２】
前記傾倒操作部材（２２）の操作を電気信号に変換するためのスイッチ（２８ａ、２８ｃ、２８ｅ、２８ｇ）を有し、前記押圧操作支持部材（２７）が支持板（３０）に固定された状態において、前記押圧操作支持部材（２７）は、前記回転操作部材（２１）の回転軸に垂直な面内で前記スイッチ（２８ａ、２８ｃ、２８ｅ、２８ｇ）と重ならない位置に前記第一の係合部（２７ａ−１）および前記第二の係合部（２７ａ−２）を備え、押圧操作部材（２３）の押圧操作時に発生する音を低減するための弾性部材（３１）を有し、前記押圧操作支持部材（２７）が支持板（３０）に固定された状態において、前記回転操作部材（２１）の回転軸に垂直な面内で前記弾性部材（３１）と重ならない位置に前記第一の係合部（２７ａ−１）および前記第二の係合部（２７ａ−２）を備えたことを特徴とする請求項１に記載の情報入力装置。
【発明の詳細な説明】
【技術分野】
【０００１】
本発明は、カメラやビデオカメラ等の電子機器に備え付ける操作スイッチ装置に関し、特に回転入力部材と多方向入力部材を備えた情報入力装置に関する。
【背景技術】
【０００２】
カメラおよびビデオカメラ等といった携帯可能な小型電子機器においては多用な入力手段を小型に配置することが要求されている。
【０００３】
例えばカメラ、特に、一眼レフカメラにおいて、ファインダ内に表示された複数の焦点検出領域のうち任意の焦点検出領域を選択する手段やメニュー項目を選択する手段として、多方向に傾倒可能な傾倒スイッチや複数個の押圧スイッチを設けたものがある。
【０００４】
また、カメラの撮影情報をはじめとする各種情報を設定する手段として、ダイヤルの回転方向や回転量に応じて、設定量を変更する回転ダイヤル操作部材を設けたものがある。
【０００５】
例えば、カメラの焦点検出機構は、カメラ本体をホールドし、レリーズボタンを半押しした状態で作動するように構成されているが、焦点検出動作が行われている時にすばやく特定の焦点検出領域を選択するには、傾倒スイッチや複数個の押圧スイッチ等の焦点検出領域を選択するための入力装置を、カメラをホールドし、レリーズスイッチを押した状態でも、無理なく操作できる位置に配置する必要がある。この場合、例えば、右手でカメラ本体を保持した状態において、レリーズボタンの押圧操作のために人差し指を用いると、焦点検出領域を選択するための入力装置を操作することができる指は親指にほぼ限定され、親指によって操作しやすい入力装置の配置はカメラ本体の背面に必然的に決定される。
【０００６】
また、カメラの露出補正や撮影情報の入力・設定を行うための回転ダイヤルについても、カメラ本体をホールドしてファインダを覗いた状態で操作を行う必要があるため、回転ダイヤルのカメラ本体に対する最適な配置は右手親指で操作しやすい位置に決定される。
【０００７】
従って、焦点検出領域を選択するための入力装置及び回転ダイヤルを１つのカメラ本体に設けようとすると、両者の最適な配置がカメラ本体の背面においてほぼ同じ位置になってしまう。ここで、両者は共に操作性上ある程度の操作部の大きさが必要となるため、両者共に良好な操作性を実現するようなレイアウトをすることができない。
【０００８】
そこで、このような問題点を解決する手段として、図９に示すような特許文献１の構成が知られている。
【０００９】
図９のように、回転操作部材１００をリング形状とし、この回転操作部材１００の中心位置に、回転しない押圧操作部材１１０（焦点検出領域を選択および確定するための入力装置）と、傾倒させて情報を入力することが可能な環形の傾倒操作部材１２０（焦点検出領域を移動させる入力装置）を配置することで、両者を統合してほぼ同じ位置に配置する構成が提案されている。
【００１０】
これにより、２種類の情報を入力するための装置を右手親指で操作できるだけの大きさを確保しつつ、カメラ本体２００に対してコンパクトに、かつ、ほぼ同位置にレイアウトすることが可能となる。
【００１１】
更に、特許文献１では、回転操作部材１００の中心部分に嵌合穴１０１が形成されており、傾倒操作部材１２０を支持する支持部材１３０に形成された軸部１３１と、嵌合穴１０１が回転可能に嵌合されている。また、回転操作部材１００が回転操作される際にクリック感を付与するためのクリック板１４０、および、回転操作部材１００の回転を検出するための回転検出部１５０のそれぞれの回転中心部分にも、前記軸部１３１を通すための貫通穴が形成されている。
【００１２】
これらクリック板１４０、回転検出部１５０、および、回転操作部材１００は、各貫通穴、および、前記嵌合穴１０１が同軸に保たれるように、積層して一体回転可能に固着されている。
【００１３】
また、傾倒操作部材１２０の操作を検知する電気信号を伝達するフレキシブル基板１６０は、前記支持部材１３０の軸部１３１の貫通穴を通過して、カメラ本体へと検知信号を伝達する構成となっている。
【００１４】
これにより、傾倒操作部材１２０の周囲でエンドレスに回転操作可能な回転操作部材１００を有する情報入力装置において、部品点数を増やさず、かつ軸方向の厚みを最小限に押さえることが可能となるとしている。
【先行技術文献】
【特許文献】
【００１５】
【特許文献１】特開２０１２−４３７０７号公報
【発明の概要】
【発明が解決しようとする課題】
【００１６】
特許文献１に記載の構成では、図１０のように、押圧操作部材１１０の軸部が、ボタン支持部材１７０の貫通穴に摺動可能に嵌合支持されている。また、押圧操作部材１１０の軸部先端には、押圧操作部材１１０の脱落を防止するため、係止凸部１１１が設置されている。
【００１７】
押圧操作部材１１０をボタン支持部材１７０に組み付ける際は、係止凸部１１１を変形させながら、押圧操作部材１１０をボタン支持部材１７０に挿入する。押圧操作部材１１０の係止凸部１１１が、ボタン支持部材１７０の嵌合部を通り抜けると、係止凸部１１１が弾性力によってもとの形状に戻る。これにより、押圧操作部材１１０から脱落せず、かつ押圧操作部材１１０の軸方向に摺動可能に嵌合支持される。
【００１８】
ボタン支持部材１７０を、フレキシブル基板１６０が貼り付けられた支持板１８０に組み付ける際は、ボタン支持部材１７０の係止爪部１７１を変形させながら、支持板１８０の穴部に挿入する。係止爪部１７１が通り抜けると、係止爪部１７１が弾性力によってもとの形状に戻る。これにより、ボタン支持部材１７０が支持板１８０から脱落しないよう固定される。
【００１９】
このように、特許文献１に記載の構成では、押圧操作部材１１０と、ボタン支持部材１７０をそれぞれ係止爪によって固定することで、情報入力装置の全体のサイズを大型化せずに、複雑な情報入力が可能となっている。
【００２０】
しかしながら、特許文献１に記載の情報入力装置では、押圧操作部材１１０の組み付けの際に、係止凸部１１１がボタン支持部材１７０を通り抜ける必要があるため、係止凸部１１１を大きくすることが出来ない。これにより、ユーザが押圧操作部材１１０を不用意にひっかけてしまうなど、押圧操作部材１１０に外力が加わった場合に、押圧操作部材１１０が外れてしまう可能性があった。
【００２１】
また、ボタン支持部材１７０の係止爪部１７１は、弾性力を十分に備えられるように、細い腕形状の先端に設置する必要がある。このため、ボタン支持部材１７０を支持板１８０の穴に挿入させる際に、係止爪部１７１を変形させてしまったり、係止爪部１７１を破損してしまったりして、歩留りが低下してしまう問題があった。
【課題を解決するための手段】
【００２２】
本出願に係る発明の目的を実現する構成は、請求項１に記載のように、情報入力のために傾倒操作可能な傾倒操作部材と、前記傾倒操作部材の中心に設置された押圧操作部材と、前記傾倒操作部材を支持する支持部材と、この支持部材に形成された軸部に回転可能に嵌合する嵌合穴が形成されて情報入力のために前記傾倒操作部材の周囲でエンドレスに回転操作可能な回転操作部材とを有する情報入力装置において、前記押圧操作部材を押圧操作可能に支持する押圧操作支持部材と、前記押圧操作支持部材を保持する支持板とを備え、前記押圧操作支持部材は、支持板に前記押圧操作支持部材を嵌め込んだのち回転させて固定するための、２つの係合部を備え、第一の係合部は、第二の係合部に対し、略対向する位置に設置され、かつ前記第二の係合部よりも大きな形状を有し、前記支持板は、前記第一の係合部よりも小さく、かつ、前記第二の係合部よりも大きな開口部を備えた情報入力装置。
【発明の効果】
【００２３】
本発明によれば、傾倒させて情報を入力することが可能な操作部材の周囲で、エンドレスに回転操作可能な回転操作部材を有する情報入力装置において、傾倒操作部材の中心部に設置された押圧操作部材に外力が加わった場合の押圧操作部材の脱落を確実に防止することが可能となる。
【００２４】
また、傾倒操作部材の中心部に設置された押圧操作部材を組み立てる際に、係止部を変形させながら組む工程がなくなるため、支持部材の破損を防止することが可能となり、歩留りを向上させることができる。
【００２５】
なお、本発明の情報入力装置は、電子機器、例えばカメラに適用することが可能である。
【図面の簡単な説明】
【００２６】
【図１】本発明の実施形態であるデジタル一眼レフカメラの構成を説明するための上面図である。
【図２】本発明の実施形態であるデジタル一眼レフカメラの構成を説明するための縦断面図である。
【図３】本発明の実施形態である情報入力装置を備えたデジタル一眼レフカメラの背面図である。
【図４】本発明の実施形態である情報入力装置を備えたデジタル一眼レフカメラの撮影者がファインダから被写体を観察した様子である。
【図５】本発明の実施形態である情報入力装置の構成部品をダイヤル回転軸方向に分解したときの斜視図である。
【図６】本発明の実施形態である情報入力装置内の傾倒操作部を構成する部品をダイヤル回転軸方向に分解したときの斜視図である。
【図７】本発明の実施形態である情報入力装置の傾倒操作部を構成する部品の組み立て工程を説明する図である。
【図８】本発明の実施形態である情報入力装置の中心に設置された操作部材を固定する支持板およびボタン支持台の上面図である。
【図９】従来の情報入力装置の構成部品をダイヤル回転軸方向に分解したときの斜視図である。
【図１０】従来の情報入力装置の断面図である。
【発明を実施するための形態】
【００２７】
以下に、本発明の好ましい実施の形態を、添付の図面に基づいて詳細に説明する。
【００２８】
［実施例１］
以下、本発明の実施例を、図面を参照しながら説明する。
【００２９】
図１は本発明の実施形態の一例であるデジタル一眼レフカメラを上面側から見た図である。
【００３０】
図１に示すように、本実施形態のデジタル一眼レフカメラは、カメラ本体１の背面側から見て右側の外装を撮影時にユーザが把持するグリップ部６０としている。カメラ本体１の上面部には、グリップ部６０を把持したユーザの人差し指に近い位置にレリーズボタン２が設けられている。
【００３１】
また、カメラ本体１の上面部には、ＡＦ（オートフォーカス）、露出、連写等の設定を変更する際に操作する複数の設定ボタン３が、カメラ本体１の幅方向に略等間隔で設けられている。更に、カメラ本体１の上面部には、設定ボタン３を操作することにより変更できる設定項目を表示するための表示部４が設けられている。
【００３２】
レリーズボタン２の押し下げ方向５は、カメラ本体１の上面側から見てカメラ撮影光軸方向に対してレンズ鏡筒からグリップ部６０側に離れる方向に角度αだけ傾斜している。このため、ユーザが撮影時にグリップ部６０を把持してレリーズボタン２の操作面に人差し指の腹を当てると、腹に対して略面直方向へレリーズボタン２を押し下げることができる。
【００３３】
また、複数の設定ボタン３の各中心を結ぶ線６は、レリーズボタン２の押し下げ方向５に対して、略直交するようになっている。これにより、ユーザは、グリップ部６０を把持した状態で複数の設定ボタン３間で人差し指を自然な状態で移動させることができ、特にファインダ７を覗きながら設定ボタン３を操作する際の操作性を向上させることができる。
【００３４】
図２は、デジタル一眼レフカメラのレリーズボタン２及び設定ボタン３の部位を部分的に示す縦断面図である。
【００３５】
図２に示すように、レリーズボタン２の操作面８は、カメラ本体１を水平面上に設置した場合に、水平方向に対して角度βだけ前側（被写体側）が下方に傾斜している。また、設定ボタン３も同様に、水平方向に対して前側が下方に傾斜した形状になっており、その前側傾斜方向９とレリーズボタン２の操作面８の頂点面での断面投影接線１０とは、略並行になっている。これにより、設定ボタン３とレリーズボタン２の押し下げ方向が略同一となるため、特にファインダ７を覗きながら設定ボタン３とレリーズボタン２の両方を操作する際の操作性を向上させることができる。
【００３６】
図３は、デジタル一眼レフカメラのカメラ本体１を背面側から見た図である。以下、図３を参照して、カメラ本体１の背面部に設けられる各部材について説明する。
【００３７】
図３において、視度調整ダイヤル１１は、ファインダ７内に配設された不図示のレンズを撮影者の視度に合うように移動させるためのものである。ＡＦスタートボタン１２は、不図示のレンズの焦点検出動作（ＡＦ）を任意のタイミングで始動するためのボタンである。ＡＥロックボタン１３は、露出値のロック等に用いられるボタンである。焦点検出領域選択ボタン１４は、後述する焦点検出領域の選択を行う際に操作するボタンである。
【００３８】
メニュー選択ボタン１５は、ＬＣＤ等の表示装置１６に表示される各メニュー項目の設定や画像の再生、消去、情報表示を行うためのボタンである。電源スイッチ１７は、カメラの電源をＯＮ／ＯＦＦするためのスイッチである。メディアカバー１８は、開閉可能に設けられ、開状態で撮像画像を保存するためのメモリカードをカードスロットに対して着脱することができる。アクセスランプ窓１９は、メモリカードに画像を保存するなどのアクセス中に点灯して、ユーザにアクセス中であることを知らせる。
【００３９】
操作部２０は、円環状の回転操作ダイヤル２１と、回転操作ダイヤル２１の中央部に設けられた円環状の傾倒操作部材２２、及び傾倒操作部材２２の中央部に設けられた押圧操作ボタン２３とを備える。ここで、回転操作ダイヤル２１は、本発明の回転操作部材の一例に相当し、傾倒操作部材２２は、本発明の傾倒操作部材の一例に相当する。また、押圧操作ボタン２３は、本発明の押圧操作部材の一例に相当する。
【００４０】
回転操作ダイヤル２１は、露出補正を行うための部材であり、回転方向や回転量に応じて設定量が変更される。傾倒操作部材２２及び押圧操作ボタン２３は、ファインダ７内に表示された選択対象の複数の焦点検出領域のうち任意の焦点検出領域を選択操作するために用いられる。傾倒操作部材２２は、円周方向に複数（本実施例では８つ）の突起２２ａ〜２２ｈが略等間隔で設けられており、８方向に傾倒操作が可能になっている。
【００４１】
なお、ＡＦスタートボタン１２、ＡＥロックボタン１３、焦点検出領域選択ボタン１４、及び操作部２０は、カメラ本体１の背面部において、ユーザがグリップ部６０を右手７０で把持した際に親指７０ａで操作可能な位置に配置することが好ましい。このように配置すると、ユーザが右手７０でグリップ部６０を把持した状態でレリーズボタン２を人差し指７０ｂで操作する際に、ＡＦスタートボタン１２、ＡＥロックボタン１３、焦点検出領域選択ボタン１４及び操作部２０の親指７０ａでの操作性が向上する。
【００４２】
図４は、ユーザがファインダ７から被写体を観察した際のファインダ７内での表示例を示した図である。
【００４３】
図４において、撮影画面２４には、被写体像が表示されるとともに、複数の焦点検出領域２５ａ〜２５ｉが表示され、これらの焦点検出領域２５ａ〜２５ｉのうちいずれか一つの焦点検出領域の被写体にピントが合わせられる。撮影画面２４の下方には、条件表示部２６が表示される。条件表示部２６は、シャッタ秒時を示すシャッタ秒時表示部２６ａ、絞り値を示す絞り表示部２６ｂ、適正露出に対するシフト量を示すシフト量表示部２６ｃ、シフト量の指標となる指標部２６ｄ、及び合焦表示部２６ｅにより構成される。合焦表示部２６ｅは、点灯することでユーザに被写体が合焦したことを知らせる。
【００４４】
次に、傾倒操作部材２２、押圧操作ボタン２３及び回転操作ダイヤル２１の操作方法について説明する。
【００４５】
まず、ユーザが焦点検出領域選択ボタン１４を押すと、ファインダ７内に表示される焦点検出領域２５ａ〜２５ｉのうちで現在の選択されている焦点検出領域、例えば中央の焦点検出領域２５ｉが点灯してユーザに知らせる。この状態では、露出補正を行っていないため、条件表示部２６の指標部２６ｄは、シフト量「０」を示している。
【００４６】
そして、ユーザが合焦させたい被写体を変更したい場合は、傾倒操作部材２２又は押圧操作ボタン２３を操作することにより、合焦させたい被写体に対応する焦点検出領域を選択する。具体的には、例えば焦点検出領域２５ａを選択する場合は、傾倒操作部材２２の突起２２ａを押して傾倒操作する。同様に、焦点検出領域２５ｂ〜２５ｈを選択する場合は、傾倒操作部材２２の突起２２ｂ〜２２ｈを押して傾倒操作する。また、焦点検出領域２５ｉを選択する場合は、押圧操作ボタン２３を押圧操作する。
【００４７】
次に、測光値により設定されたシャッタ秒時と絞り値を変更（露出補正）したい場合には、回転操作ダイヤル２１を例えば時計方向に３ステップ回転させることで、＋１／３段、＋２／３段、＋１段と露出シフト量を変更することができる。反対に、回転操作ダイヤル２１を反時計方向に３ステップ回転させることで、−１／３段、−２／３段、−１段と露出シフト量を変更することができる。
【００４８】
ここで、撮影モードがシャッタ速度優先モードに設定されているときは、絞り値のシフトを行い、絞り優先モードに設定されているときは、シャッタ秒時のシフトを行う。これにより、シャッタ秒時表示部２６ａ、絞り表示部２６ｂ、シフト量表示部２６ｄには、露出値がシフトされた状態で表示される。
【００４９】
次に、図５〜図８を参照して、操作部２０について詳しく説明する。
【００５０】
図５（Ａ）は操作部２０を斜め上方から見た分解斜視図、図５（Ｂ）は操作部２０を斜め下方から見た分解斜視図である。
【００５１】
図５に示すように、傾倒操作部材２２と回転操作ダイヤル２１との間には、押圧操作ボタン２３、ボタン支持台２７、フレキシブル基板２８、及び受け台２９が傾倒操作部材２２から回転操作ダイヤル２１側に向けて軸方向に略同心に配置されている。傾倒操作部材２２の裏面には、表面側の突起２２ａ、２２ｃ、２２ｅ、２２ｇに対応する位置に、突起２２ａ−１、２２ｃ−１、２２ｅ−１、２２ｇ−１が設けられている。ここで、ボタン支持台２７は、本発明の押圧操作支持部材の一例に相当し、受け台２９は、本発明の支持部材の一例に相当する。
【００５２】
フレキシブル基板２８は、裏面側に配置された支持板３０により支持されており、支持板３０は、受け台２９により支持されている。フレキシブル基板２８の表面側には、傾倒操作部材２２の突起２２ａ−１、２２ｃ−１、２２ｅ−１、２２ｇ−１に対応する位置にそれぞれメタルドームスイッチ２８ａ、２８ｃ、２８ｅ、２８ｇが設けられている。また、フレキシブル基板２８には、傾倒操作部材２２の傾倒操作によりメタルドームスイッチから出力される信号を不図示の制御部に接続するためのリード線２８ｊが設けられている。支持板３０は、本発明の支持板の一例に相当する。
【００５３】
そして、例えば、ユーザが傾倒操作部材２２の突起２２ａを傾倒操作すると、突起２２ａ−１がフレキシブル基板２８のメタルドームスイッチ２８ａを弾性的に押圧して信号が発生する。この信号に基づき、不図示の制御部は、傾倒操作部材２２の突起２２ａの方向が選択されたと判断する。また、ユーザが傾倒操作部材２２の突起２２ｂを傾倒操作すると、突起２２ａ−１、２２ｃ−１がフレキシブル基板２８のメタルドームスイッチ２８ａ、２８ｃを弾性的に押圧して信号が発生する。この信号に基づき、不図示の制御部は、傾倒操作部材２２の突起２２ｂの方向が選択されたと判断する。
【００５４】
傾倒操作部材２２の中央開口部には、押圧操作ボタン２３が嵌め込まれる。押圧操作ボタン２３は、裏面側に略同心に突設された嵌合軸２３ａがボタン支持台２７に対して軸方向に摺動可能に嵌合される。また、ボタン支持台２７の裏面側には、下方に突出する係合腕部２７ａ−１、２７ａ−２が円周方向に互いに略１８０°離間して２ヶ所設けられている。２ヶ所の係合腕部２７ａ−１、２７ａ−２は、フレキシブル基板２８及び支持板３０に貫通して設けられた２ヶ所の開口部３０ａ−１、３０ａ−２に嵌合されて固定される。ここで、係合腕部２７ａ−１は、本発明の第一の係合部に相当し、係合腕部２７ａ−２は、本発明の第二の係合部に相当する。
【００５５】
２ヶ所の係合腕部２７ａはそれぞれ、フレキシブル基板２８のメタルドームスイッチ２８ａ、２８ｃ、２８ｅ、２８ｇに対し押圧操作ボタン２３の軸方向で重ならない位置に設置される。これは、メタルドームスイッチ２８ａ、２８ｃ、２８ｅ、２８ｇが押圧された力が係合腕部２７ａに伝わり、係合腕部２７ａが破損するのを防止するためである。
【００５６】
また、２ヶ所の係合腕部２７ａはそれぞれ、後述する弾性部材３１に対し押圧操作ボタン２３の軸方向で重ならない位置に設置される。これは、弾性部材３１と重ならない位置に積層させることで、回転操作ダイヤル２１の回転軸方向に操作部２０を薄型化するためである。
【００５７】
傾倒操作部材２２の突起２２ａ−１、２２ｃ−１、２２ｅ−１、２２ｇ−１の径方向外方位置には、下方に突出する係合腕部２２ｉが円周方向に略等間隔で４カ所設けられている。４カ所の係合腕部２２ｉは、受け台２９に設けられた４カ所の溝部２９ａに対して傾倒操作部材２２の傾倒方向に摺動可能に支持される。受け台２９の裏面側中央部には、嵌合軸２９ｂが略同心に設けられており、嵌合軸２９ｂには、リード線２８ｊを軸方向に挿通させるための開口部２９ｃが設けられている。
【００５８】
回転操作ダイヤル２１の表面側中央部には、受け台２９、弾性部材３１、支持板３０、フレキシブル基板２８、ボタン支持台２７、押圧操作ボタン２３、及び傾倒操作部材２２が収納される凹部が設けられている。また、回転操作ダイヤル２１の裏面側には、軸部２１ｂが略同心に設けられており、軸部２１ｂには、前記凹部の底面から軸部２１ｂの先端面まで貫通する嵌合穴２１ａが形成されている。嵌合穴２１ａには、受け台２９の嵌合軸２９ｂが嵌合され、これにより、回転操作ダイヤル２１が受け台２９の嵌合軸２９ｂに対して回転可能に支持される。
【００５９】
また、軸部２１ｂは、カメラ本体１の背面カバー５０に取り付けられたクリック部材３２の軸穴３２ａに嵌め込まれ、これにより、回転操作ダイヤル２１と後述する接片押さえ板３３、接片３４によってクリック部材３２、及び背面カバー５０を挟み込む構造となる。このとき、回転操作ダイヤル２１に設けられたレール面２１ｃがクリック部材３２に設けられたレール面３２ｃに当接することで、回転操作ダイヤル２１をスムーズに回転させることができる。
【００６０】
回転操作ダイヤル２１とカメラ本体１内に設けられるベース部材３５との間には、クリック部材３２、位相フレキシブル基板３６、接片押さえ板３３、接片３４が回転操作ダイヤル２１からベース部材３５に向けて順番に配置されている。
【００６１】
接片押さえ板３３及び接片３４は、軸方向に積層された状態で回転操作ダイヤル２１の軸部２１ｂの先端面にねじ等により略同心に固定される。ここで、接片押さえ板３３及び接片３４の中央に形成された穴部は、回転操作ダイヤル２１の嵌合穴２１ａにより大きく形成されている。従って、受け台２９の嵌合軸２９ｂは嵌合穴２１ａにのみ嵌合される。
【００６２】
位相フレキシブル基板３６は、回転操作ダイヤル２１の回転位相を検出するためのものであり、表面に導通パターン３６ａが設けられ、クリック部材３２の裏面に設けられた平面部３２ｂに貼付け固定されている。接片押さえ板３３は、接片３４とカシメ等で一体化されている。接片３４は、位相フレキシブル基板３６の導通パターン３６ａに当接し、回転操作ダイヤル２１の回転を電気信号に変換して、不図示の制御部に出力する。
【００６３】
クリック部材３２は、回転操作ダイヤル２１を回転操作する際に、ユーザに対してクリック感を与えるためのものであり、内周部には、波形状部３２ａが周方向に沿って形成されている。クリック部材３２は、背面カバー５０に両面テープ３７により貼り付け固定される。
【００６４】
回転操作ダイヤル２１の軸部２１ｂの外周側には、クリックボール３８及びクリックばね３９を配置するための溝が設置されている。クリックボール３８は、クリックばね３９の付勢力を受けてクリック部材３２の波形状部３２ａに係合しており、回転操作ダイヤル２１の回転操作に伴って波形状部３２ａの凹凸に合わせて進退することで、ユーザに対してクリック感を与えることができる。
【００６５】
ベース部材３５は、受け台２９の嵌合軸２９ｂを固定するための部材であり、背面カバー５０にねじ等により固定される。また、ベース部材３５には、リード線２８ｊを挿通させるための開口部３５ａが設けられている。
【００６６】
次に、図６から図７を使って、押圧操作ボタン２３の組立工程および押圧操作ボタン２３の固定方法に関して詳細に説明する。
【００６７】
前述の通り、押圧操作ボタン２３はボタン支持台２７に対して軸方向に摺動可能に嵌合されている。その際、押圧操作ボタン２３が、ボタン支持台２７から脱落するのを防止するのが、図６に示すボタン留め部材４０である。ボタン留め部材４０は、押圧操作ボタン２３の嵌合軸２３ａに設けられた溝２３ｂに嵌め込まれている。
【００６８】
図７（Ａ）を使って、押圧操作ボタン２３、ボタン支持台２７、および、ボタン留め部材４０の組立工程について説明する。
【００６９】
まず、押圧操作ボタン２３の嵌合軸２３ａをボタン支持台２７の穴に対して、矢印Ｐの方向から挿入する。次に、貫通した嵌合軸２３ａの溝２３ｂに対して、ボタン留め部材４０を矢印Ｑの方向から嵌め込んで固定する。ボタン留め部材４０の中央の穴は、嵌合軸２３ａよりも小さくなっており、かつ、溝２３ｂよりも大きくなっているため、嵌合軸２３ａに嵌め入れる際にボタン留め部材４０が変形するが、ボタン留め部材４０が溝２３ｂまで挿入されると、弾性力により、元の形状に戻る。これにより、押圧操作ボタン２３がボタン支持２７から脱落することが抑制される。
【００７０】
次にボタン支持台２７を支持板３０に固定する組立工程について説明する。
【００７１】
支持板３０には、予めフレキシブル基板２８が粘着剤によって貼り付けられている。この支持板３０の中央には開口部３０ａが設けられており、この開口部３０ａには、図８（Ａ）に示すような開口部３０ａ−１および、開口部３０ａ−２、３０ａ−３のような形状が形成されている。開口部３０ａ−１の半径Ｒａは、図８（Ｂ）に示す係合腕部２７ａ−１の半径Ｒａ１よりも小さく（Ｒａ＜Ｒａ１）、開口部３０ａ−２の半径Ｒｂは係合腕部２７ａ−２の半径Ｒｂ１よりも大きくできている（Ｒｂ＞Ｒｂ１）。また、開口部３０ａ−３の半径Ｒｃは係合腕部２７ａ−２の半径Ｒｂ１よりも小さく、かつ、係合腕部２７ａ−２上に形成された凸部２７ｂの半径Ｒｃ１よりも大きい（Ｒｃ１＜Ｒｃ＜Ｒｂ１）。
【００７２】
まずボタン支持台２７の係合腕部２７ａ−１を支持板３０の開口部３０ａ−１に引っかけた後、図７（Ｂ）のように係合腕部２７ａ−２を開口部３０ａ−２に合わせてボタン支持台２７を嵌め込む。前述の通り、開口部３０ａ−２の半径Ｒｂが係合腕部２７ａ−２の半径Ｒｂ１よりも大きいため、係合腕部２７ａ−２が支持板３０に引っかかることなく、ボタン支持台２７を嵌め込むことができる。
【００７３】
次に、図７（Ｃ）に示すように、係合腕部２７ａ−１の側壁が、開口部３０ａの外形３０ａ−４に衝突して止まるまで、ボタン支持台２７を矢印の方向に回転させる。この時、係合腕部２７ａは、開口部３０ａを過ぎて支持板３０の下に潜り込む。このため、ボタン支持台２７が支持板３０から脱落するのを防止することができる。
【００７４】
しかしながら、このままでは、図７（Ｃ）の矢印と反対の方向にボタン支持台２７を回転させると、係合腕部２７ａが開口部３０ａの位置に戻るため、ボタン支持台２７が支持板３０から外れてしまう。この逆回転を防止するのが、係合腕部２７ａ−２に設けられた凸部２７ｂである。ボタン支持台２７を図７（Ｃ）の方向に回転させている間は、凸部２７ｂは支持板３０の下に潜り込むため、変形しながら回転している。その後、係合腕部２７ａ−１の側壁が、開口部３０ａの外形３０ａ−４に衝突して止まる直前に、開口部３０ａ−３が凸部２７ｂの上面に位置するため、凸部２７ｂは弾性力によってもとの形状に戻る。これにより、開口部３０ａ−３と凸部２７ｂが係合することで、ボタン支持台２７の逆回転が規制され、ボタン支持台２７の脱落を防止することが可能となる。
【００７５】
次に、図７（Ｄ）のように、フレキシブル基板２８の先端部２８ｈを受け台２９に貼り付ける。この先端部２８ｈにはメタルドームスイッチ２８ｉが設けられている。このメタルドームスイッチ２８ｉを押圧操作ボタン２３によって弾性的に押圧して信号が発生させる。この信号に基づき、不図示の制御部は、押圧操作ボタン２３が選択されたと判断する。
【００７６】
フレキシブル基板２８の先端部２８ｈの上から、弾性部材３１を受け台２９の軸に圧入固定する。弾性部材３１は、シリコンゴムで形成されており、メタルドームスイッチ２８ｉが押圧操作される際に、メタルドームスイッチ２８ｉが変形することで発生する操作音を低減するためのものである。
【００７７】
図７（Ｅ）のように、フレキシブル基板２８のリード線２８ｊを、受け台２９の開口部２９ｃに通しながら、支持板３０を受け台２９の軸に合わせて取り付ける。
【００７８】
最後に、図７（Ｆ）に示す通り、傾倒操作部材２２の４カ所の係合腕部２２ｉを、受け台２９に設けられた４カ所の溝部２９ａに合わせて、受け台２９に傾倒操作部材２２を取り付け固定する。この時、係合腕部２２ｉは、溝部２９ａの形状に沿うように弾性変形しながら挿入される。傾倒操作部材２２が固定される位置まで挿入されると、係合腕部２２ｉが弾性力によって元の形状に戻り、溝部２９ａに対して係合し、傾倒操作部材２２が受け台２９に固定される。
【００７９】
以上説明したように、本実施形態では、ボタン支持台２７の係合腕部２７ａを回転させながら、支持板３０の開口部３０ａに係合する。これにより係合腕部２７ａの引っかかる面積を大きく確保できるため、押圧操作ボタン２３に外力が加わった場合でも、ボタン支持台２７の脱落を確実に防止することが可能となる。また、量産組み立ての際に、係合腕部２７ａを支持板３０に対して変形させながら組むことがなくなるため、係合腕部２７ａの破損や変形を防ぎ、歩留りを高めることが可能となる。
【００８０】
また、本発明の構成は、上記実施形態に例示したものに限定されるものではなく、材質、形状、寸法、形態、数、配置箇所等は、本発明の要旨を逸脱しない範囲において適宜変更可能である。
【００８１】
例えば、上記実施形態では、電子機器としてデジタル一眼レフカメラを例示したが、デジタルコンパクトカメラやデジタルビデオカメラ等の撮像装置や撮像装置以外の電子機器にも適用可能である。
【符号の説明】
【００８２】
２１  回転操作ダイヤル
２２  傾倒操作部材
２３  押圧操作ボタン
２７  ボタン支持台
２８  フレキシブル基板
２９  受け台
３０  支持板
３１  弾性部材
【図１】
2013251160.tif 000003
【図２】
2013251160.tif 000004
【図３】
2013251160.tif 000005
【図４】
2013251160.tif 000006
【図５】
2013251160.tif 000007
【図６】
2013251160.tif 000008
【図７】
2013251160.tif 000009
【図８】
2013251160.tif 000010
【図９】
2013251160.tif 000011
【図１０】
2013251160.tif 000012